(57)【特許請求の範囲】
【請求項１】
Ｍ×Ｎ個の画素ユニットからなるＭ×Ｎの画素マトリクスをそれぞれ含む複数の表示ブロックに区画され、前記Ｍ及びＮはいずれも２以上の正の整数である表示パネルと、
前記表示パネルに電気的に接続されると共に複数のスキャン線を介して前記複数の表示ブロックにおける前記複数の画素ユニットに電気的に接続されており、第１の制御信号を受信することで複数のスキャン信号を対応する複数の表示ブロックに提供する少なくとも一つのスキャン駆動ユニットと、
前記表示パネルに電気的に接続され、第２の制御信号を受信することで複数のデータ信号を対応する複数の表示ブロックに提供するデータ駆動ユニットと、
を含み、
前記第１の制御信号と前記第２の制御信号は前記複数の表示ブロックにおける複数のスキャンパターンと関連し、
各前記スキャンパターンは対応する前記表示ブロックにおけるすべての画素ユニットを時計回り方向あるいは反時計回り方向である回転方向に沿ってカバーし、
前記スキャン駆動ユニットと前記データ駆動ユニットは、それぞれ前記第１の制御信号と前記第２の制御信号により、複数のスキャン信号と複数のデータ信号を生成して前記複数の表示ブロックに出力することで、前記複数の表示ブロックを対応する前記複数のスキャンパターンに従い同時にスキャンさせることによって前記複数のスキャンパターンにおける前記画素ユニットを前記回転方向に沿って順次発光させて画像を表示させることを特徴とするディスプレー。
【請求項２】
前記ディスプレーは発光ダイオードディスプレーであることを特徴とする請求項１に記載のディスプレー。
【請求項３】
前記スキャン駆動ユニットと前記データ駆動ユニットに電気的に接続され、前記複数の表示ブロックにおける前記複数のスキャンパターンを決定し、前記複数のスキャンパターンに基づき、前記第１の制御信号と前記第２の制御信号を生成する表示制御ユニットを更に含むことを特徴とする請求項１に記載のディスプレー。
【請求項４】
前記スキャン駆動ユニットと前記データ駆動ユニットは前記第１の制御信号と前記第２の制御信号により、前記複数のスキャン信号と前記複数のデータ信号の論理レベル及び前記論理レベルを維持する時間を調整することを特徴とする請求項１に記載のディスプレー。
【請求項５】
前記複数の表示ブロックの大きさはそれぞれ同一であることを特徴とする請求項１に記載のディスプレー。
【請求項６】
前記複数の表示ブロックは同じ前記スキャンパターンを有することで、前記複数の表示ブロックを同じスキャンパターンに従って同時にスキャンして前記画像を表示することを特徴とする請求項１に記載のディスプレー。
【請求項７】
Ｍ×Ｎ個の画素ユニットからなるＭ×Ｎの画素マトリクスをそれぞれ含む複数の表示ブロックに区画され、前記Ｍ及びＮはいずれも２以上の正の整数である表示パネルと、複数のスキャン線を介して前記複数の表示ブロックにおける前記複数の画素ユニットに電気的に接続される少なくとも一つのスキャン駆動ユニットと、データ駆動ユニットと、を含むディスプレーの表示方法において、
前記スキャン駆動ユニットと前記データ駆動ユニットは、対応する前記表示ブロックにおけるすべての画素素子を時計回り方向あるいは反時計回り方向である回転方向に沿ってカバーする前記複数の表示ブロックにおける複数のスキャンパターンに関連する第１の制御信号と第２の制御信号をそれぞれ受信するステップと、
前記スキャン駆動ユニットと前記データ駆動ユニットは、前記第１の制御信号と前記第２の制御信号により、複数のスキャン信号と複数のデータ信号を生成して前記複数の表示ブロックに出力することで、前記複数の表示ブロックを対応する前記複数のスキャンパターンに従って同時にスキャンすることによって前記複数のスキャンパターンにおける前記画素ユニットを前記回転方向に沿って順次発光させて画像を表示するステップと、を含むディスプレーの表示方法。
【請求項８】
前記ディスプレーは発光ダイオードディスプレーであることを特徴とする請求項７に記載のディスプレーの表示方法。
【請求項９】
前記ディスプレーが備える表示制御ユニットにより前記複数の表示ブロックにおける前記複数のスキャンパターンを決定し、前記複数のスキャンパターンに基づき、前記第１の制御信号と前記第２の制御信号を生成するステップを更に含むことを特徴とする請求項７に記載のディスプレーの表示方法。
【請求項１０】
前記スキャン駆動ユニットと前記データ駆動ユニットは、前記第１の制御信号と該第２の制御信号により、前記複数のスキャン信号と前記複数のデータ信号の論理レベル及び前記論理レベルを維持する時間を調整することを特徴とする請求項７に記載のディスプレーの表示方法。
【請求項１１】
前記複数の表示ブロックの大きさはそれぞれ同一であることを特徴とする請求項７に記載のディスプレーの表示方法。
【請求項１２】
前記複数の表示ブロックは同じ前記スキャンパターンを有することで、前記複数の表示ブロックを同じスキャンパターンに従って同時にスキャンして前記画像を表示することを特徴とする請求項７に記載のディスプレーの表示方法。
【発明の詳細な説明】
【技術分野】
【０００１】
本発明はディスプレー、特に同時に複数の表示ブロックをスキャンすることができるディスプレー及びその表示方法に関する。
【背景技術】
【０００２】
テクノロジーの進歩に伴い、各種のディスプレーの発展は徐々に成熟化してきた。現在、周知の技術において、例えばデジタルディスプレー、フロントプロジェクションディスプレー或いはリアプロジェクションディスプレーなどの表示装置に使われる光源はすべて超高圧水銀ランプである。しかしながら、水銀ランプは環境に対する影響が大きい。環境汚染を防止するため、発光ダイオードディスプレー（Light-Emitting Diode display、ＬＥＤ display）が代用品として登場した。発光ダイオードディスプレーは、その体積がより軽く、より薄く、それに水銀汚染の恐れがないため、従来のディスプレーに徐々に取って代わろうとしている。
【０００３】
以下は図１を参照して説明する。図１は従来のディスプレーの構造ブロック図である。従来のディスプレー１は表示パネル１０、スキャン駆動ユニット１１及びデータ駆動ユニット１２を含む。スキャン駆動ユニット１１は複数のスキャン線を介して表示パネル１０に電気的に接続される。データ駆動ユニット１２は複数のデータ線を介して表示パネル１０に電気的に接続される。スキャン駆動ユニット１１は複数のスキャン信号を表示パネル１０に提供することによって、表示パネル１０における各行の画素ユニットを順次導通する。従って、データ駆動ユニット１２は順次に複数のデータ信号を表示パネル１０に出力することで、表示パネル１０に対応する画像を表示させる。
【０００４】
現在、従来技術において、スキャン駆動ユニット１１は行ごとに複数のスキャン信号を出力し、（即ち、一つの単位時間に、一つの行に一つのスキャン信号のみを加える）表示パネル１０における同じ行の画素ユニットの薄膜トランジスタ（Thin Film Transistor、ＴＦＴ）を導通させる（図１における破線が示す方向）。しかしながら、上記方法で表示パネル１０に対するスキャンを行う時、スキャン駆動ユニット１１が出力したスキャン信号の周波数が高くないと、表示パネル１０が表示した画面にフリッカー（ｆｌｉｃｋｅｒ）が現れる。詳しく言えば、スキャン駆動ユニット１１は第１の行の画素ユニットからスキャンし始める可能性があり、スキャンされた画素ユニットは充電し、発光し始める。スキャン駆動ユニット１１から出力されたスキャン信号の周波数が高くないため、スキャン駆動ユニット１１がすべての画素ユニットのスキャンを完了していないうちに、第１の行の画素ユニットが新たなスキャン信号を受信しないことで、暗くなる可能性がある。このような表示方式では、利用者にディスプレーの画面が点滅しているように感じさせ、利用者が画面を見るときの快適さも低下させてしまう。
【発明の概要】
【発明が解決しようとする課題】
【０００５】
本発明は、表示パネルを複数の表示ブロックに区画すると共に表示ブロックを対応する複数のスキャンパターンに従って同時にスキャンして画像を表示することができるディスプレー及びその表示方法を提供することを課題とする。
【課題を解決するための手段】
【０００６】
本発明はディスプレーを提供する。ディスプレーは表示パネル、スキャン駆動ユニット及びデータ駆動ユニットを含む。スキャン駆動ユニットは表示パネルに電気的に接続される。データ駆動ユニットは表示パネルに電気的に接続される。表示パネルは複數の画素ユニットをそれぞれ含む複数の表示ブロックに区画される。スキャン駆動ユニットは複数のスキャン線を介して複数の表示ブロックにおける複数の画素ユニットに電気的に接続される。スキャン駆動ユニットは複數のスキャン信号を対応する複数の表示ブロックに提供する。データ駆動ユニットは複數のデータ信号を対応する複数の表示ブロックに提供する。スキャン駆動ユニットとデータ駆動ユニットはそれぞれ第１の制御信号と第２の制御信号を受信する。第１の制御信号と第２の制御信号は複数の表示ブロックにおける複数のスキャンパターンと関連する。スキャンパターンは対応する表示ブロックにおけるすべての画素ユニットをカバーする。スキャン駆動ユニットとデータ駆動ユニットはそれぞれ第１の制御信号と第２の制御信号により、複数のスキャン信号と複數のデータ信号を生成して、表示ブロックに出力することで、複数の表示ブロックを対応する複数のスキャンパターンに従って同時にスキャンして画像を表示する
【０００７】
本発明はディスプレーの表示方法を提供する。ディスプレーは表示パネル、スキャン駆動ユニット及びデータ駆動ユニットを含む。表示パネルは複數の画素ユニットをそれぞれ含む複数の表示ブロックに区画される。スキャン駆動ユニットは複数のスキャン線を介して複数の表示ブロックにおける複数の画素ユニットに電気的に接続される。ディスプレーの表示方法において、スキャン駆動ユニットとデータ駆動ユニットは、対応する表示ブロックにおけるすべての画素素子をカバーする複数の表示ブロックにおける複数のスキャンパターンに関連する第１の制御信号と第２の制御信号をそれぞれ受信するステップと、スキャン駆動ユニットとデータ駆動ユニットは、第１の制御信号と第２の制御信号により、複数のスキャン信号と複數のデータ信号を生成して複数の表示ブロックに出力することで、複数の表示ブロックを対応する複数のスキャンパターンに従って同時にスキャンして画像を表示するステップと、を含む。
【発明の効果】
【０００８】
本発明に係るディスプレー及びその表示方法は表示パネルを複数の表示ブロックに区画し、表示ブロックを対応するスキャンパターンに従って同時にスキャンして画像を表示することができる。そのため、本発明の実施例における表示方法は、スキャンの周波数が高くないことが原因でディスプレーの画面にフリッカーが現れる問題を避けることができ、より良い視覚体験を利用者に提供することができる。
【図面の簡単な説明】
【０００９】
【図１】従来のディスプレーの構造ブロック図である。
【図２】本発明の実施例におけるディスプレーの構造ブロック図である。
【図３】本発明の実施例における表示パネルの模式図である。
【図４】本発明の実施例における表示ブロックのスキャンパターンの模式図である。
【図５Ａ】は本発明の他の実施例における表示ブロックのスキャンパターンの模式図である。
【図５Ｂ】本発明の他の実施例における表示ブロックのスキャンパターンの模式図である。
【図５Ｃ】は本発明の他の実施例における表示ブロックのスキャンパターンの模式図である。
【図６Ａ】本発明の他の実施例における表示ブロックのスキャンパターンの模式図である。
【図６Ｂ】本発明の他の実施例における表示ブロックのスキャンパターンの模式図である。
【図６Ｃ】本発明の他の実施例における表示ブロックのスキャンパターンの模式図である。
【図７】本発明に係る表示方法のフロー図である。
【発明を実施するための形態】
【００１０】
以下、図面を参照しながら、各種の例示的な実施例を詳しく述べる。図面にはいくつかの例示的な実施例が示される。しかしながら、本発明の構想は様々な形式で実現することができ、本明細書に述べられた例示的な実施例に限定されると理解するべきではない。具体的に言えば、それらの例示的な実施例は本発明を詳述し且つ完結させ、当業者に本発明の構想の範囲を十分に伝達させるためのものである。各図面において、層或いはブロックの大きさと比較する大きさを強調して示す場合がある。類似している数字は類似しているユニットのことを指す。
【００１１】
本明細書には、第１、第２、第３などの用語で各ユニット或いは信号を記述するが、これらのユニット或いは信号はこのような用語に制限されるものではない。このような用語は単にユニットともう一つのユニットとを、または信号ともう一つの信号とを区分するためのものである。また、本明細書に使用された用語は、実際の状況により、記述された項目に関連する任意の項目或いはそれらの複数の組み合わせのすべてを含む「可能性」がある。
【００１２】
図２を参照する。図２は本発明の実施例におけるディスプレーの構造ブロック図である。ディスプレー２は表示パネル２０、スキャン駆動ユニット２１、データ駆動ユニット２２及び表示制御ユニット２３を含む。スキャン駆動ユニット２１は複数のスキャン線を介して表示パネル２０に電気的に接続される。データ駆動ユニット２２は複数のデータ線を介して表示パネル２０に電気的に接続される。表示制御ユニット２３はスキャン駆動ユニット２１とデータ駆動ユニット２２に電気的に接続される。
【００１３】
表示パネル２０は例えば液晶パネルであり、複数の画素ユニット（図１には示していない）で構成される。各画素ユニットはそれぞれスキャン線を介してスキャン駆動ユニット２１に電気的に接続される。それぞれの画素ユニットはトランジスタとコンデンサを含む。トランジスタのゲートは対応するスキャン線を介してスキャン駆動ユニット２１に電気的に接続される。トランジスタのソースは対応するデータ線を介してデータ駆動ユニット２２に電気的に接続される。トランジスタのドレインはコンデンサに電気的に接続される。各トランジスタのＯＮ、ＯＦＦ及び各コンデンサの充電、放電の制御により、表示パネル２０は画像を表示することができる。
【００１４】
表示制御ユニット２３は対応するすべての画像の画像データを受信し、受信した画像データに基づき、第１の制御信号と第２の制御信号を生成して、スキャン駆動ユニット２１とデータ駆動ユニット２２を制御する。
【００１５】
スキャン駆動ユニット２１は表示制御ユニット２３が出力した第１の制御信号により制御され、第１の制御信号により、複数のスキャン信号を生成する。詳しく言えば、スキャン駆動ユニット２１は第１の制御信号により、スキャン信号の論理レベル及びその論理レベルを維持する時間を調整する。続いて、スキャン駆動ユニット２１はスキャン信号を対応する画素ユニットに出力し、画素ユニットにおけるトランジスタのＯＮとＯＦＦを制御する。
【００１６】
データ駆動ユニット２２は表示制御ユニット２３が出力した第２の制御信号により制御され、第２の制御信号により、複数のデータ信号を生成する。詳しく言えば、データ駆動ユニット２２は第２の制御信号により、データ信号の論理レベル及びその論理レベルを維持する時間を調整する。続いて、データ駆動ユニット２２はスキャン信号に対応し、適切な時点でデータ信号を対応する画素ユニットに出力する。
【００１７】
図３を参照する。図３は本発明の実施例における表示パネルの模式図である。表示パネル２０は複数の表示ブロック２００に区画される。前述したように、表示パネル２０は複数の画素ユニット（図３に示していない）を含む。各画素ユニットはスキャン線を介してスキャン駆動ユニットにそれぞれ電気的に接続される（図３に示していない。例えば図２におけるスキャン駆動ユニット２１に電気的に接続される）。また、すべての表示ブロック２００は対応するデータ線を介してデータ駆動ユニットに電気的に接続される（図３に示していない。例えば図２におけるデータ駆動ユニット２２に電気的に接続される）。
【００１８】
本実施例において、すべての表示ブロック２００の大きさは同一である。言い換えれば、すべての表示ブロック２００に含まれる画素ユニットの数は同一である。しかしながら、本発明はそれに限定されるものではない。他の実施例において、各表示ブロック２００の大きさは同一でなくても良い。好ましい実施例において、すべての表示ブロック２００の大きさは同一である。
【００１９】
例を挙げると、表示パネル２０は１６個の表示ブロック２００に区画される。すべての表示ブロック２００は９個の画素ユニットを含んで３×３の画素マトリクスを構成する。しかしながら、本発明はそれに限定されるものではない。他の実施例において、すべての表示ブロック２００は１２個の画素ユニットを含んで４×３の画素マトリクスを構成してもよく、１６個の画素ユニットを含んで４×４の画素マトリクスを構成してもよい。また、すべての表示ブロック２００は異なる数の画素ユニットを含んでもよい。簡単に言うと、当業者は、実際の状況及び需要に応じて、如何に表示パネル２０を区画するかを考案することによって、複数の表示ブロック２００を得ることができる。説明の便宜上、以下は、すべての表示ブロック２００は９個の画素ユニットを含んで３×３の画素マトリクスを構成するものとする。各表示ブロック２００における９個の画素ユニットはそれぞれスキャン線を介してスキャン駆動ユニット２１に電気的に接続される。即ち、各表示ブロック２００は９つのスキャン線を介してスキャン駆動ユニット２１に電気的に接続される。また、各表示ブロック２００は３つのデータ線を介してデータ駆動ユニット２２に電気的に接続される。即ち、同じ列の画素ユニットは同じデータ線を介して駆動ユニット２２に電気的に接続される。
【００２０】
なお、表示パネル２０を複数の表示ブロック２００に区画することは、表示制御ユニット２３により行う。利用者は需要に応じて、表示制御ユニット２３を制御し、表示ブロック２００の大きさを調整することができる。ディスプレー２は如何に表示パネル２０を区画するかを出荷時に設定しておいてもよい。
【００２１】
表示パネル２０を複数の表示ブロック２００に区画した後、表示制御ユニット２３はすべての表示ブロック２００のスキャンパターンを決定する（図３の破線部分に示すように）。スキャンパターンはスキャン駆動ユニット２１が表示ブロック２００における画素ユニットをスキャンする順番と関連する。スキャンパターンは対応する表示ブロック２００におけるすべての画素ユニットをカバーする。即ち、表示ブロック２００におけるすべての画素ユニットはスキャンされる。すべての表示ブロック２００のスキャンパターンを決めた後、表示制御ユニット２３は対応するスキャンパターンに基づき、第１の制御信号と第２の制御信号を出力することで、スキャン駆動ユニット２１とデータ駆動ユニット２２を制御し、スキャン信号とデータ信号をすべての表示ブロック２００に出力する。このように、すべての表示ブロック２００はスキャン信号とデータ信号によって、同時にスキャンされて対応する画像を表示する。
【００２２】
なお、すべての表示ブロック２００のスキャンパターンは出荷時に設定しておいてもよい。この場合、表示制御ユニット２３はすべての表示ブロック２００のスキャンパターンを決定しなくて済む。本実施例において、各表示ブロック２００は同一のスキャンパターンを有するようにしている。他の実施例において、各表示ブロック２００のそれぞれのスキャンパターンは同一でなくても良い。各表示ブロック２００は同一のスキャンパターンを有するようにしているのが好ましい。
【００２３】
他の実施例において、ディスプレー（図２におけるディスプレー２のように）は複数のスキャン駆動ユニットを含んでも良い。スキャン駆動ユニットは異なる表示ブロック２００をスキャンする。例えば、ディスプレー２は第１のスキャン駆動ユニットと第２のスキャン駆動ユニットを含む。第１のスキャン駆動ユニットと第２のスキャン駆動ユニットは表示制御ユニット２３により制御される。第１のスキャン駆動ユニットは第１のスキャン信号を出力することで、表示パネル２０の第１の列と第２の列にある表示ブロックを制御する。第２のスキャン駆動ユニットは第２のスキャン信号を出力することで、表示パネル２０の第３の列と第４の列にある表示ブロックを制御する。複数のスキャン駆動ユニットを設置することで、異なる表示ブロック２００を制御し、すべてのスキャン駆動ユニットの処理負荷を下げることができる。
【００２４】
前述した実施例は説明のための例示であり、本発明を限定するものではない。当業者は、実際の状況及び需要に応じて、ディスプレー２におけるスキャン駆動ユニットの数及び各スキャン駆動ユニットがどれぐらいの表示ブロックを制御するかを適宜に設計することができる。
【００２５】
図４を参照する。図４は本発明の実施例における表示ブロックのスキャンパターンの模式図である。この実施例において、スキャンパターンは内から外へ時計回りの方向に伸びる。
【００２６】
更に言えば、表示ブロック２００は画素ユニット２００１、２００２、２００３、２００４、２００５、２００６、２００７、２００８、２００９を含む。各画素ユニットの配列方式は図４に示す通りである。画素ユニット２００１、２００２、２００３、２００４、２００５、２００６、２００７、２００８、２００９はそれぞれスキャン線を介してスキャン駆動ユニットに電気的に接続される（図４に示していない。例えば図２におけるスキャン駆動ユニット２１に電気的に接続される）。具体的に言えば、画素ユニット２００１は第１のスキャン線を介してスキャン駆動ユニット２１に電気的に接続される。画素ユニット２００２は第２のスキャン線を介してスキャン駆動ユニット２１に電気的に接続される。画素ユニット２００３は第３のスキャン線を介してスキャン駆動ユニット２１に電気的に接続される。画素ユニット２００４は第４のスキャン線を介してスキャン駆動ユニット２１に電気的に接続される。画素ユニット２００５は第５のスキャン線を介してスキャン駆動ユニット２１に電気的に接続される。画素ユニット２００６は第６のスキャン線を介してスキャン駆動ユニット２１に電気的に接続される。画素ユニット２００７は第７のスキャン線を介してスキャン駆動ユニット２１に電気的に接続される。画素ユニット２００８は第８のスキャン線を介してスキャン駆動ユニット２１に電気的に接続される。画素ユニット２００９は第９のスキャン線を介してスキャン駆動ユニット２１に電気的に接続される。
【００２７】
また、画素ユニット２００１、２００４、２００７は同じデータ線（例えば第１のデータ線）を介してデータ駆動ユニットに電気的に接続される（図４に示していない。例えば図２におけるデータ駆動ユニット２２に電気的に接続される）。画素ユニット２００２、２００５、２００８は同じデータ線（例えば第２のデータ線）を介してデータ駆動ユニット２２に電気的に接続される。画素ユニット２００３、２００６、２００９は同じデータ線（例えば第３のデータ線）を介してデータ駆動ユニット２２に電気的に接続される。スキャンパターンは図４における破線部分のように、画素ユニット２００５からから外へ時計回りの方向に伸びる。
【００２８】
スキャンパターンに基づき、表示制御ユニット２３は第１の制御信号と第２の制御信号をスキャン駆動ユニット２１とデータ駆動ユニット２２に出力する。スキャン駆動ユニット２１とデータ駆動ユニット２２は、第１の制御信号と第２の制御信号により、対応的にスキャン信号とデータ信号を表示ブロック２００に出力し、画素ユニット２００１、２００２、２００３、２００４、２００５、２００６、２００７、２００８、２００９をスキャンパターンに基づき順次発光させる。
【００２９】
更に言えば、画素ユニット２００１、２００２、２００３、２００４、２００５、２００６、２００７、２００８、２００９をスキャンパターンに基づき順次発光させるように、スキャン駆動ユニット２１は第１のスキャン線を介して高論理レベルのスキャン信号を画素ユニット２００５に出力することによって、画素ユニット２００５を導通させる。データ駆動ユニット２２は第２のデータ線を介してデータ信号を画素ユニット２００５に出力することによって、対応する画像を画素ユニット２００５に表示させる。
【００３０】
画素ユニット２００５がスキャンされた後、スキャン駆動ユニット２１は第６のスキャン線を介して高論理レベルのスキャン信号を画素ユニット２００６に出力することによって、画素ユニット２００６を導通させる。データ駆動ユニット２２は第３のデータ線を介してデータ信号を画素ユニット２００６に出力することによって、対応する画像を画素ユニット２００６に表示させる。
【００３１】
画素ユニット２００６がスキャンされた後、スキャン駆動ユニット２１は第９のスキャン線を介して高論理レベルのスキャン信号を画素ユニット２００９に出力することによって、画素ユニット２００９を導通させる。データ駆動ユニット２２は第３のデータ線を介してデータ信号を画素ユニット２００９に出力することによって、対応する画像を画素ユニット２００９に表示させる。
【００３２】
画素ユニット２００９がスキャンされた後、スキャン駆動ユニット２１は第８のスキャン線を介して高論理レベルのスキャン信号を画素ユニット２００８に出力することによって、画素ユニット２００８を導通させる。データ駆動ユニット２２は第２のデータ線を介してデータ信号を画素ユニット２００８に出力することによって、対応する画像を画素ユニット２００８に表示させる。
【００３３】
画素ユニット２００８がスキャンされた後、スキャン駆動ユニット２１は第７のスキャン線を介して高論理レベルのスキャン信号を画素ユニット２００７に出力することによって、画素ユニット２００７を導通させる。データ駆動ユニット２２は第１のデータ線を介してデータ信号を画素ユニット２００７に出力することによって、対応する画像を画素ユニット２００７に表示させる。
【００３４】
画素ユニット２００７がスキャンされた後、スキャン駆動ユニット２１は第４のスキャン線を介して高論理レベルのスキャン信号を画素ユニット２００４に出力することによって、画素ユニット２００４を導通させる。データ駆動ユニット２２は第１のデータ線を介してデータ信号を画素ユニット２００４に出力することによって、対応する画像を画素ユニット２００４に表示させる。
【００３５】
画素ユニット２００４がスキャンされた後、スキャン駆動ユニット２１は第１のスキャン線を介して高論理レベルのスキャン信号を画素ユニット２００１に出力することによって、画素ユニット２００１を導通させる。データ駆動ユニット２２は第１のデータ線を介してデータ信号を画素ユニット２００１に出力することによって、対応する画像を画素ユニット２００１に表示させる。
【００３６】
画素ユニット２００１がスキャンされた後、スキャン駆動ユニット２１は第２のスキャン線を介して高論理レベルのスキャン信号を画素ユニット２００２に出力することによって、画素ユニット２００２を導通させる。データ駆動ユニット２２は第２のデータ線を介してデータ信号を画素ユニット２００２に出力することによって、対応する画像を画素ユニット２００２に表示させる。
【００３７】
画素ユニット２００２がスキャンされた後、スキャン駆動ユニット２１は第３のスキャン線を介して高論理レベルのスキャン信号を画素ユニット２００３に出力することによって、画素ユニット２００３を導通させる。データ駆動ユニット２２は第３のデータ線を介してデータ信号を画素ユニット２００３に出力することによって、対応する画像を画素ユニット２００３に表示させる。
【００３８】
以上をまとめると、表示制御ユニット２３は第１の制御信号と第２の制御信号により、スキャン駆動ユニット２１とデータ駆動ユニット２２を制御する。スキャン駆動ユニット２１とデータ駆動ユニット２２は第１の制御信号と第２の制御信号により、対応的にスキャン信号とデータ信号を出力することによって、表示ブロック２００における画素ユニットを画素ユニット２００５、２００６、２００９、２００８、２００７、２００４、２００１、２００２、２００３の順番に沿って順次発光させ、スキャンパターンにより指示されたスキャン順番を完成させる。
【００３９】
表示ブロック２００がスキャンパターンに従って一回スキャンされる時間は一回のスキャン周期である。一回のスキャン周期を経た後、表示制御ユニット２３はスキャン駆動ユニット２１とデータ駆動ユニット２２を制御し、スキャン信号とデータ信号をもう一回表示ブロック２００に出力する。表示ブロック２００はスキャン信号とデータ信号により、対応的にスキャンパターンにより指示された発光順番を完成する。言い換えれば、表示ブロック２００における画素ユニットはスキャンパターンの発光順番に沿って順次発光し始め、対応する画像を表示する。
【００４０】
すべてのスキャン周期において、表示制御ユニット２３はスキャン駆動ユニット２１とデータ駆動ユニット２２を同時にスキャン信号とデータ信号を表示パネルにおける（図２の表示パネル２０）すべての表示ブロック２００に出力するように制御する。各表示ブロック２００は同時にスキャンパターンが指示された発光順番に沿って画像を表示する。結果として、ディスプレー２が表示する画面はスキャン駆動ユニット２１が出力したスキャン信号の周波数が高くないことで画面が点滅しているように見えることはない。
【００４１】
図５Ａ〜５Ｃは本発明の他の実施例における表示ブロックのスキャンパターンの模式図である。図４におけるスキャンパターンと違って、図５Ａにおけるスキャンパターンは内から外へ反時計方向に伸びる。図５Ｂにおけるスキャンパターンは外から内へ時計回りの方向に伸びる。図５Ｃにおけるスキャンパターンは外から内へ反時計方向に伸びる。
【００４２】
図５Ａ〜５Ｃにおけるスキャンパターンは説明のための例示であり、本発明を限定するものではない。当業者は、実際の状況及び需要に応じて、スキャンパターンを適宜に設計することができ、表示パネル（図２における表示パネル２０のように）における表示ブロック２００をスキャンパターンが指示された発光順番に沿って画像を表示させる。
【００４３】
図６Ａ〜６Ｃは本発明の他の実施例における表示ブロックのスキャンパターンの模式図である。前述した実施例と違って、図６Ａにおける表示ブロック６００Ａは４個の画素ユニットを含んで２×２の画素マトリクスを構成する。図６Ｂにおける表示ブロック６００Ｂは１６個の画素ユニットを含んで４×４の画素マトリクスを構成する。図６Ｃにおける表示ブロック６００Ｃは１２個の画素ユニットを含んで３×４の画素マトリクスを構成する。本発明の実施例は表示パネルにおけるすべての表示ブロックの大きさ及びその内部に含まれる画素ユニットの数を限定するものではない。当業者は、実際の状況及び需要に応じて、如何に表示パネルを区画するかを適宜に設計することができる。
【００４４】
また、表示ブロック６００Ａ、６００Ｂ、６００Ｃのそれぞれのスキャンパターンは前述した実施例と異なる。表示ブロック６００Ａ、６００Ｂ、６００Ｃのそれぞれのスキャンパターンは図の破線部分に示すようである。図６Ａ〜６Ｃにおけるスキャンパターンは説明のための例示であり、本発明を限定するものではない。当業者は、前述した実施例を参考した上で、本発明の構想により自ら異なるスキャンパターンを適宜に設計することができる。
【００４５】
前述した実施例におけるスキャンパターンはすべて連続するスキャンパターンである。ただし、本発明はそれに限定されるものではない。他の実施例において、スキャンパターンは連続していないスキャンパターンでも良い。図４における画素ユニット２００１、２００２、２００３、２００４、２００５、２００６、２００７、２００８、２００９について、スキャンパターンは画素ユニット２００９がスキャンされた後、続いて画素ユニット２００１がスキャンされることを指示することができる。即ち、次にスキャンされる画素ユニットは現在スキャンされている画素ユニットと必ず隣接しているわけではない。
【００４６】
図７を参照する。図７は本発明に係る表示方法のフロー図である。図７における表示方法は前述したディスプレー（例えば図２におけるディスプレー２）に適用される。ディスプレーは表示パネル、スキャン駆動ユニット及びデータ駆動ユニットを含む。表示パネルは複数の表示ブロックに区画される。これらの表示ブロックはそれぞれ複数の画素ユニットを含む。各画素ユニットはそれぞれスキャン線を介してスキャン駆動ユニットに電気的に接続される。各表示ブロックは、大きさはそれぞれ同一に設定され、或いは大きさはそれぞれ非同一に設定されることができる。ステップＳ７０１において、スキャン駆動ユニットとデータ駆動ユニットはそれぞれ表示制御ユニットが出力した第１の制御信号と第２の制御信号を受信する。第１の制御信号と第２の制御信号は各表示ブロックのスキャンパターンと関連する。スキャンパターンは対応する表示ブロックにおける画素ユニットをカバーする。各表示ブロックのスキャンパターンはそれぞれ同一であっても良く、それぞれ異なるスキャンパターンであっても良い。
【００４７】
ステップＳ７０２において、スキャン駆動ユニットとデータ駆動ユニットはそれぞれ第１の制御信号と第２の制御信号により、複数のスキャン信号と複数のデータ信号を生成して、それらのスキャン信号とデータ信号を複数の表示ブロックに出力する。ステップＳ７０３において、複数の表示ブロックは同時に対応するスキャンパターンに従ってスキャンされ、画像を表示する。
【００４８】
以上をまとめると、本発明の実施例におけるディスプレー及びその表示方法は表示パネルを複数の表示ブロックに区画することができ、これらの表示ブロックをスキャンパターンに従って同時にスキャンして、対応する画像を表示する。言い換えれば、本発明の実施例におけるディスプレー及びその表示方法は、スキャン駆動ユニットが出力したスキャン信号の周波数の高さの影響を生じさせないため、ディスプレーの画面の点滅問題を解決することができる。また、本発明の実施例における表示方法は異なる種類のディスプレーに適用することができ、利用者がディスプレーの画面を見るときの快適さ及び視覚体験を高めることができる。
【００４９】
上述した実施例は、本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【符号の説明】
【００５０】
１、２…ディスプレー
１０、２０…表示パネル
１１、２１…スキャン駆動ユニット
１２、２２…データ駆動ユニット
２３…表示制御ユニット
２００、５００Ａ、５００Ｂ、５００Ｃ、６００Ａ、６００Ｂ、６００Ｃ…表示ブロック
２００１、２００２、２００３、２００４、２００５、２００６、２００７、２００８、２００９…画素ユニット
【図１】
0006272390.tif 000002
【図２】
0006272390.tif 000003
【図３】
0006272390.tif 000004
【図４】
0006272390.tif 000005
【図５Ａ】
0006272390.tif 000006
【図５Ｂ】
0006272390.tif 000007
【図５Ｃ】
0006272390.tif 000008
【図６Ａ】
0006272390.tif 000009
【図６Ｂ】
0006272390.tif 000010
【図６Ｃ】
0006272390.tif 000011
【図７】
0006272390.tif 000012